(57)【要約】【課題】大型で重い遊技制御装置を直接接続できる中継基板の接続部位を損傷から効果的に保護できると共に、接続作業の効率化を期せる裏機構構造を備える遊技機を提供する。【解決手段】中継基板保持体３６に保持された中継基板３５の遊技制御装置接続部３５１を遮蔽部３６２ａで保護する遮蔽状態にある蓋部材３６の押圧受部３６２ｂを、遊技制御装置３０の押圧部３０３ｂで押し込み、遮蔽部３６２ａを蓋部材挿通孔３６１ｃ内へ退避させた開状態に変換させ、遊技制御装置３０の中継基板接続コネクタ３０２を中継基板３５の遊技制御基板接続部３５１に接続させる係合方向へスライドさせると、蓋部材３６の係止部３６２ｃが遊技制御装置３０の係止凹部３０３ｃ内に入り込み、遊技制御装置３０を反係合方向へスライドさせて外すことができないように係止される。【選択図】図９
2006175096.tif 000002
【特許請求の範囲】
【請求項１】
少なくとも遊技盤に設けられる変動入賞装置を制御する遊技制御基板と、該遊技制御基板を内包する基板収納体とを備えた遊技制御装置と、
少なくとも前記変動入賞装置に設けられる電気的駆動源を含む各種電気部品を接続する電気部品接続部を有する中継基板と、
を備え、
前記遊技制御装置の遊技制御基板に設けられた中継基板接続部と、前記中継基板に設けられた遊技制御基板接続部とを直接接続するようにした遊技機において、
前記遊技制御装置を取り付ける遊技制御装置取付部と、該遊技制御装置取付部に隣接して前記中継基板を取り付ける中継基板取付部と、を有する制御装置保持部材を遊技機の裏面側適所に設け、
前記中継基板取付部には、中継基板の遊技制御基板接続部が遊技制御装置取付部側を向いた状態で保持可能な中継基板保持体を設け、
前記遊技制御装置取付部の適所には係止部を、前記遊技制御装置の基板収納体には前記係止部に係止され得る被係止部を各々設け、遊技制御装置の被係止部を遊技制御装置取付部の係止部に係止させると、遊技制御基板の中継基板接続部が中継基板取付部に取り付けられた中継基板の遊技制御基板接続部と接続された状態で、遊技制御装置が遊技制御装置取付部に取り付けられるものとし、
前記制御装置保持部材には、前記中継基板取付部に取り付けられた中継基板の遊技制御基板接続部の遊技制御装置取付部側に遮蔽部が位置する閉状態と、中継基板の遊技制御基板接続部の遊技制御装置取付部側から遮蔽部が退いて遊技制御基板の中継基板接続部が中継基板の遊技制御基板接続部に接続することを許容する開状態とに変換可能な蓋部材を設け、
常態においては閉状態を維持する前記蓋部材は、適所に設けた押圧受部が、遊技制御装置を遊技制御装置取付部に係止する際に遊技制御装置によって押圧されることで、遊技制御基板の中継基板接続部と中継基板の遊技制御基板接続部との接続路を遮蔽する位置から遮蔽部が退いた開状態に変換されるようにしたことを特徴とする遊技機。
【請求項２】
前記遊技制御装置の基板収納体の適所には所要形状の係合部を設け、前記制御装置保持部材の遊技制御装置取付部の対応する部位には係合受部を設け、
前記係合受部は、
遊技制御装置の係合部を受け入れる受入口と、該受入口に前記係合部を受け入れた状態で前記中継基板取付部側へのスライドをガイドするスライドガイド部と、
前記スライドガイド部に沿ってスライドさせた状態において前記遊技制御装置と遊技制御装置取付部とが離間するのを防止する離間防止部と、
前記遊技制御装置の係合部をスライドガイド部に沿ってスライドさせて遊技制御基板の中継基板接続部が中継基板の遊技制御基板接続部に接続された位置で係合部が当接し、更に中継基板取付部側へ遊技制御装置がスライドすることを規制するスライド規制部と、
を備え、
前記係合受部のスライド規制部にて遊技制御装置の係合部がスライド規制される際に、遊技制御装置の被係止部が遊技制御装置取付部の係止部に係止されるようにしたことを特徴とする請求項１に記載の遊技機。
【請求項３】
前記中継基板取付部の中継基板保持体における遊技制御装置取付部側には、中継基板の遊技制御基板接続部に遊技制御基板の中継基板接続部を接続するのに必要十分な接続空部を隔てて、中継基板の遊技制御基板接続部の背面側に配され、少なくとも中継基板の遊技制御基板接続部の背面側を覆い得る所要形状の接続保護部を設けたことを特徴とする請求項１又は請求項２に記載の遊技機。
【請求項４】
前記遊技盤には複数の入賞口を設け、
少なくとも一つの入賞口には、遊技球が入賞する入賞空部内に突出して遊技球が入賞球検出手段により検出されることを阻む入賞阻止状態と、入賞空部内から退いて遊技球が入賞球検出手段により検出されることを許容する入賞許容状態とに変換可能な入賞規制部材を設け、
前記制御装置保持部材の蓋部材に設けた押圧受部が押圧されていない閉状態においては前記入賞規制部材が入賞許容状態を保持し、遊技制御装置を遊技制御装置取付部に係止する際に遊技制御装置によって押圧受部が押圧された第１押圧状態においては前記入賞規制部材が入賞阻止状態に変換し、遊技制御装置の被係止部が遊技制御装置取付部の係止部に係止されることで押圧受部の押圧量が軽減された第２押圧状態においては前記入賞規制部材が入賞許容状態に変換されるようにしたことを特徴とする請求項１〜請求項３の何れか１項に記載の遊技機。
【請求項５】
少なくとも遊技盤に設けられる変動入賞装置を制御する遊技制御基板と、該遊技制御基板を内包する基板収納体とを備えた遊技制御装置と、
少なくとも前記変動入賞装置に設けられる電気的駆動源を含む各種電気部品を接続する電気部品接続部を有する中継基板と、
を備え、
前記遊技制御装置の遊技制御基板に設けられた中継基板接続部と、前記中継基板に設けられた遊技制御基板接続部とを直接接続するようにした遊技機において、
前記遊技制御装置を取り付ける遊技制御装置取付部と、該遊技制御装置取付部に隣接して前記中継基板を取り付ける中継基板取付部と、を有する制御装置保持部材を遊技機の裏面側適所に設け、
前記遊技制御装置取付部の適所には係合受部を、前記遊技制御装置の基板収納体には前記係合受部に係合され得る係合部を各々設け、遊技制御基板の中継基板接続部が中継基板取付部側を向いた状態で、前記中継基板取付部側と反対方向である係合方向へ遊技制御装置を移動させることにより、遊技制御装置の係合部を遊技制御装置取付部の係合受部に係合させ、反係合方向へ遊技制御装置を移動させることで、遊技制御装置の係合部を遊技制御装置取付部の係合受部から外せる構成とし、
前記中継基板取付部には、中継基板の遊技制御基板接続部が前記遊技制御基板の中継基板接続部に接続された状態で保持可能な中継基板保持体を設け、
遊技制御装置取付部に遊技制御装置を係合させて取り付けた後、遊技制御装置の中継基板接続部に中継基板の遊技制御基板接続部を接続させた中継基板を、中継基板保持体へ止着手段により止着するようにしたことを特徴とする遊技機。
【発明の詳細な説明】
【技術分野】
【０００１】
本発明は、遊技盤に設けられる変動入賞装置を制御する遊技制御基板と、該遊技制御基板を内包する基板収納体とを備えた遊技制御装置と、少なくとも前記変動入賞装置に設けられる電気的駆動源を含む各種電気部品を接続する電気部品接続部を有する中継基板と、を備え、前記遊技制御装置の遊技制御基板に設けられた中継基板接続部と、前記中継基板に設けられた遊技制御基板接続部とを直接接続するようにした遊技機に関する。
【背景技術】
【０００２】
多様な遊技性が求められる遊技機（パチンコ機、アレンジボール機、雀球遊技機等）においては、複雑な遊技制御に加えて種々の演出制御も必要とされており、複数の制御装置によって各種の制御が行われている。また、遊技制御に必要な検出情報を受信したり制御信号を出力したりするために、遊技機に設けられた各種電気部品との接続線や制御装置同士を接続するための接続線が必要なため、遊技機の裏面側における配線が非常に煩雑となり、遊技機の組み立て作業や、遊技店に出荷された後の保守作業などで、作業効率を低下させていた。
【０００３】
このような配線の煩雑さを解消するために、配線の接続を集中させる中継基板を設けて接続部位を集約し、作業の効率化を図っているものの、中継基板を設けることで配線数を極端に低減させることはできないので、依然として、コネクタの接続作業は繁雑なままである。そこで、制御装置と中継基板を直接接続できるように、制御装置には挿入側配線コネクタを回路板と一体に成形し、中継基板には蝶着構造の受け側配線コネクタを設け、制御装置の挿入側配線コネクタを中継基板の受け側配線コネクタに接続した後に、制御装置の収納ケースを回動させて遊技盤の裏側に固定するようにしたパチンコ機の裏機構構造が提案されている（例えば、特許文献１参照）。
【０００４】
【特許文献１】特開平６−２４３号公報
【０００５】
しかしながら、上記特許文献１に記載の裏機構構造においては、蝶着構造とした中継基板の受け側配線コネクタが剥き出しで、パチンコ機の搬送時や保守作業時に損傷してしまう可能性がある。なお、中継基板の受け側配線コネクタをコネクタカバー等で覆うようにすれば、受け側配線コネクタを保護できるものの、コネクタカバーを取り外す手間が増えて作業が繁雑となる。一方、作業性を良くするために外れ易いコネクタカバーを採用した場合には、ちょっとしたはずみでコネクタカバーが取れて受け側配線コネクタが剥き出しになってしまう可能性もある。よって、剥き出しの受け側配線コネクタをコネクタカバー等で覆う手法は、望ましい対応策とは言い難い。
【０００６】
しかも、上記特許文献１に記載の裏機構構造においては、中継基板の受け側配線コネクタを蝶着構造として、制御装置を接続する位置から、接続した制御装置を遊技盤裏面側へ回動させて固定する位置へ回動させるものであるため、制御装置が適切に固定されるまで、制御装置の挿入側配線コネクタが挿入された中継基板の受け側配線コネクタに制御装置の重量負荷が直接掛かることとなる。よって、作業時の取り扱いに気をつけなければ、制御装置の重量負荷が中継基板の受け側配線コネクタに掛かり、接触部位が撓んで接触不良を引き起こしてしまう可能性もある。特に、大型で重い遊技制御装置を中継基板に接続する場合には、接続作業時に気をつけておかないと、遊技制御装置の全重量が中継基板の受け側配線コネクタに掛かって破損してしまったり、受け側配線コネクタから遊技制御装置を抜け落ちて床に落下し、遊技制御装置が損壊するような懸念もある。
【発明の開示】
【発明が解決しようとする課題】
【０００７】
そこで、本発明は、上記問題点に鑑み、大型で重い遊技制御装置を直接接続できる中継基板の接続部位を損傷から効果的に保護できると共に、接続作業の効率化を期せる裏機構構造を備える遊技機の提供を目的とする。
【課題を解決するための手段】
【０００８】
上記の課題を解決するために、請求項１に係る発明は、少なくとも遊技盤に設けられる変動入賞装置を制御する遊技制御基板と、該遊技制御基板を内包する基板収納体とを備えた遊技制御装置と、少なくとも前記変動入賞装置に設けられる電気的駆動源を含む各種電気部品を接続する電気部品接続部を有する中継基板と、を備え、前記遊技制御装置の遊技制御基板に設けられた中継基板接続部と、前記中継基板に設けられた遊技制御基板接続部とを直接接続するようにした遊技機において、前記遊技制御装置を取り付ける遊技制御装置取付部と、該遊技制御装置取付部に隣接して前記中継基板を取り付ける中継基板取付部と、を有する制御装置保持部材を遊技機の裏面側適所に設け、前記中継基板取付部には、中継基板の遊技制御基板接続部が遊技制御装置取付部側を向いた状態で保持可能な中継基板保持体を設け、前記遊技制御装置取付部の適所には係止部を、前記遊技制御装置の基板収納体には前記係止部に係止され得る被係止部を各々設け、遊技制御装置の被係止部を遊技制御装置取付部の係止部に係止させると、遊技制御基板の中継基板接続部が中継基板取付部に取り付けられた中継基板の遊技制御基板接続部と接続された状態で、遊技制御装置が遊技制御装置取付部に取り付けられるものとし、前記制御装置保持部材には、前記中継基板取付部に取り付けられた中継基板の遊技制御基板接続部の遊技制御装置取付部側に遮蔽部が位置する閉状態と、中継基板の遊技制御基板接続部の遊技制御装置取付部側から遮蔽部が退いて遊技制御基板の中継基板接続部が中継基板の遊技制御基板接続部に接続することを許容する開状態とに変換可能な蓋部材を設け、常態（前記遊技制御装置取付部に遊技制御装置が取り付けられていない状態）においては閉状態を維持する前記蓋部材は、適所に設けた押圧受部が、遊技制御装置を遊技制御装置取付部に係止する際に遊技制御装置によって押圧されることで、遊技制御基板の中継基板接続部と中継基板の遊技制御基板接続部との接続路を遮蔽する位置から遮蔽部が退いた開状態に変換されるようにしたことを特徴とする。
【０００９】
また、請求項２に係る発明は、前記請求項１に記載の遊技機において、前記遊技制御装置の基板収納体の適所には所要形状の係合部を設け、前記制御装置保持部材の遊技制御装置取付部の対応する部位には係合受部を設け、前記係合受部は、遊技制御装置の係合部を受け入れる受入口と、該受入口に前記係合部を受け入れた状態で前記中継基板取付部側へのスライドをガイドするスライドガイド部と、前記スライドガイド部に沿ってスライドさせた状態において前記遊技制御装置と遊技制御装置取付部とが離間するのを防止する離間防止部と、前記遊技制御装置の係合部をスライドガイド部に沿ってスライドさせて遊技制御基板の中継基板接続部が中継基板の遊技制御基板接続部に接続された位置で係合部が当接し、更に中継基板取付部側へ遊技制御装置がスライドすることを規制するスライド規制部と、を備え、前記係合受部のスライド規制部にて遊技制御装置の係合部がスライド規制される際に、遊技制御装置の被係止部が遊技制御装置取付部の係止部に係止されるようにしたことを特徴とする。
【００１０】
また、請求項３に係る発明は、前記請求項１又は請求項２に記載の遊技機において、前記中継基板取付部の中継基板保持体における遊技制御装置取付部側には、中継基板の遊技制御基板接続部に遊技制御基板の中継基板接続部を接続するのに必要十分な接続空部を隔てて、中継基板の遊技制御基板接続部の背面側に配され、少なくとも中継基板の遊技制御基板接続部の背面側を覆い得る所要形状の接続保護部を設けたことを特徴とする。
【００１１】
また、請求項４に係る発明は、前記請求項１〜請求項３の何れか１項に記載の遊技機において、前記遊技盤には複数の入賞口を設け、少なくとも一つの入賞口には、遊技球が入賞する入賞空部内に突出して遊技球が入賞球検出手段により検出されることを阻む入賞阻止状態と、入賞空部内から退いて遊技球が入賞球検出手段により検出されることを許容する入賞許容状態とに変換可能な入賞規制部材を設け、前記制御装置保持部材の蓋部材に設けた押圧受部が押圧されていない閉状態においては前記入賞規制部材が入賞許容状態を保持し、遊技制御装置を遊技制御装置取付部に係止する際に遊技制御装置によって押圧受部が押圧された第１押圧状態においては前記入賞規制部材が入賞阻止状態に変換し、遊技制御装置の被係止部が遊技制御装置取付部の係止部に係止されることで押圧受部の押圧量が軽減された第２押圧状態においては前記入賞規制部材が入賞許容状態に変換されるようにしたことを特徴とする。
【００１２】
上記の課題を解決するために、請求項５に係る発明は、少なくとも遊技盤に設けられる変動入賞装置を制御する遊技制御基板と、該遊技制御基板を内包する基板収納体とを備えた遊技制御装置と、少なくとも前記変動入賞装置に設けられる電気的駆動源を含む各種電気部品を接続する電気部品接続部を有する中継基板と、を備え、前記遊技制御装置の遊技制御基板に設けられた中継基板接続部と、前記中継基板に設けられた遊技制御基板接続部とを直接接続するようにした遊技機において、前記遊技制御装置を取り付ける遊技制御装置取付部と、該遊技制御装置取付部に隣接して前記中継基板を取り付ける中継基板取付部と、を有する制御装置保持部材を遊技機の裏面側適所に設け、前記遊技制御装置取付部の適所には係合受部を、前記遊技制御装置の基板収納体には前記係合受部に係合され得る係合部を各々設け、遊技制御基板の中継基板接続部が中継基板取付部側を向いた状態で、前記中継基板取付部側と反対方向である係合方向へ遊技制御装置を移動させることにより、遊技制御装置の係合部を遊技制御装置取付部の係合受部に係合させ、反係合方向へ遊技制御装置を移動させることで、遊技制御装置の係合部を遊技制御装置取付部の係合受部から外せる構成とし、前記中継基板取付部には、中継基板の遊技制御基板接続部が前記遊技制御基板の中継基板接続部に接続された状態で保持可能な中継基板保持体を設け、遊技制御装置取付部に遊技制御装置を係合させて取り付けた後、遊技制御装置の中継基板接続部に中継基板の遊技制御基板接続部を接続させた中継基板を、中継基板保持体へ止着手段により止着するようにしたことを特徴とする。
【発明の効果】
【００１３】
請求項１に係る遊技機によれば、中継基板取付部に取り付けられた中継基板の遊技制御基板接続部の遊技制御装置取付部側に遮蔽部が位置する閉状態を蓋部材が常態においては維持することにより、中継基板の遊技制御基板接続部を効果的に保護でき、また、遊技制御装置を遊技制御装置取付部に係止する際には、蓋部材の適所に設けた押圧受部が、遊技制御装置によって押圧されることで、遊技制御基板の中継基板接続部と中継基板の遊技制御基板接続部との接続路を遮蔽する位置から遮蔽部が退いた開状態に変換されるので、蓋部材を開状態に変換する作業を別途行う必要が無く、遊技制御装置を中継基板に接続する作業を効率良く行うことができる。
【００１４】
また、請求項２に係る遊技機によれば、前記遊技制御装置の基板収納体の適所には所要形状の係合部を設け、前記制御装置保持部材の遊技制御装置取付部の対応する部位には係合受部を設け、前記係合受部は、遊技制御装置の係合部を受け入れる受入口と、該受入口に前記係合部を受け入れた状態で前記中継基板取付部側へのスライドをガイドするスライドガイド部と、前記スライドガイド部に沿ってスライドさせた状態において前記遊技制御装置と遊技制御装置取付部とが離間するのを防止する離間防止部と、前記遊技制御装置の係合部をスライドガイド部に沿ってスライドさせて遊技制御基板の中継基板接続部が中継基板の遊技制御基板接続部に接続された位置で係合部が当接し、更に中継基板取付部側へ遊技制御装置がスライドすることを規制するスライド規制部と、を備え、前記係合受部のスライド規制部にて遊技制御装置の係合部がスライド規制される際に、遊技制御装置の被係止部が遊技制御装置取付部の係止部に係止されるようにしたので、遊技制御装置を遊技制御装置取付部に係合させるようにスライドさせ、適正な状態に位置決めされると、遊技制御装置が遊技制御装置取付部に係止され、係合動作と係止動作を同時に行うことができ、効率的な取付作業を期せる。
【００１５】
また、請求項３に係る遊技機によれば、前記中継基板取付部の中継基板保持体における遊技制御装置取付部側には、中継基板の遊技制御基板接続部に遊技制御基板の中継基板接続部を接続するのに必要十分な接続空部を隔てて、中継基板の遊技制御基板接続部の背面側に配され、少なくとも中継基板の遊技制御基板接続部の背面側を覆い得る所要形状の接続保護部を設けたので、蓋部材と接続保護部による中継基板の遊技制御基板接続部に対する保護機能を一層高めることができる。しかも、遊技制御装置取付部に遊技制御装置を取り付ける際には、接続空部を隔てて位置する接続保護部が、中継基板の遊技制御基板接続部に中継基板接続部を導くスライドガイドとして機能するので、遊技制御基板と中継基板との接続が円滑に行われる。加えて、中継基板の電気部品接続部に対して遊技機の前後方向に抜き差しが行われる場合、中継基板の遊技制御基板接続部にも前後方向への押圧力が作用することとなるが、中継基板の中継基板保持体の接続保護部が遊技制御基板接続部の背面側に位置するので、接続保護部により中継基板の撓みが抑制され、遊技制御基板の中継基板接続部とに接触不良が生ずることを防止できる。
【００１６】
また、請求項４に係る遊技機によれば、前記遊技盤には複数の入賞口を設け、少なくとも一つの入賞口には、遊技球が入賞する入賞空部内に突出して遊技球が入賞球検出手段により検出されることを阻む入賞阻止状態と、入賞空部内から退いて遊技球が入賞球検出手段により検出されることを許容する入賞許容状態とに変換可能な入賞規制部材を設け、前記制御装置保持部材の蓋部材に設けた押圧受部が押圧されていない閉状態においては前記入賞規制部材が入賞許容状態を保持し、遊技制御装置を遊技制御装置取付部に係止する際に遊技制御装置によって押圧受部が押圧された第１押圧状態においては前記入賞規制部材が入賞阻止状態に変換し、遊技制御装置の被係止部が遊技制御装置取付部の係止部に係止されることで押圧受部の押圧量が軽減された第２押圧状態においては前記入賞規制部材が入賞許容状態に変換されるようにしたので、遊技制御装置を遊技制御装置取付部に取り付ける作業を行った後、入賞規制部材を設けた入賞口に入れた遊技球が入賞球検出手段により検出されるか否かにより、遊技制御装置が遊技制御装置取付部へ適正に係止されたか否かを判定できる。よって、遊技制御装置と中継基板との接続が不完全であることに起因して、遊技制御基板の中継基板接続部と中継基板の遊技制御基板接続部の接触不良が生じているような場合を、入賞規制部材を設けた入賞口への球通しによって簡便且つ効率的に発見できる。
【００１７】
請求項５に係る遊技機によれば、遊技制御装置取付部に遊技制御装置を係合させて取り付けた後、遊技制御装置の中継基板接続部に中継基板の遊技制御基板接続部を接続させた中継基板を、中継基板保持体へ止着手段により止着すると、中継基板が固定されることで遊技制御装置も反係合方向へ移動できなくなり、遊技制御装置の係合部を遊技制御装置取付部の係合部から外せなくなるので、中継基板を止着手段により止着するだけで遊技制御装置も遊技制御装置取付部に固定されることとなり、遊技制御装置と中継基板を制御装置保持部材に取り付ける際の作業性を高めることができる。
【発明を実施するための最良の形態】
【００１８】
次に、本発明に係る遊技機の実施形態を添付図面に基づき詳細に説明する。
【００１９】
図１に示すのは、パチンコ遊技を行える遊技機１の前面側の外観斜視図で、機枠２の前面側に額縁状の前面枠３を開閉可能に設け、該前面枠３に開設した窓部の前面側にガラス枠４と開閉扉５を開閉可能に軸着し、窓部の背面側から遊技領域が視認可能なように遊技盤（後に詳述）を装着し、前面枠３の下部前面側に球受皿６と発射操作ハンドル７などを取り付けてある。また、開閉扉５には遊技球貯留手段として球供給皿８を設け、その球貯留凹部内に臨ませて球排出口９を開設した。
【００２０】
また、遊技機１の前面側適所（例えば、球供給皿８の適宜上方）には遊技者が操作する球貸ボタン１０ａや返却ボタン１０ｂ等を設け、図示を省略したカード制御装置に挿入された球貸用カードを用いた遊技球の借り受け動作や遊技終了時のカード返却動作を遊技者が随意に行うことができる。更に、遊技機１の前面側適所には、各種ランプやＬＥＤ等を発光源とする装飾表示器１１…を設けると共に、種々の効果音を出力するスピーカ１２、１２を設けてある。
【００２１】
図２は、上記ガラス枠のガラス面を介して前面に臨む遊技盤１３の正面図である。
【００２２】
遊技盤１３は、打球発射機構（図示省略）により弾発された遊技球をガイドするガイドレール１４により概ね区画される遊技領域１５を備え、この遊技領域１５内の中央付近には、液晶表示器等で構成した表示部１６ａを有する演出表示装置１６を、その側方（図２においては、紙面に向って左側）に遊技球が通過する普図始動ゲート１７を設けてある。
【００２３】
上記普図始動ゲート１７を遊技球が通過することに基づいて、普通図柄表示器１８を用いた普通図柄変動表示ゲーム（例えば、複数種類の識別情報を変動表示させた後に停止表示させ、停止した識別情報が予め定めた当り態様に一致するか否かを判定するゲーム）が行われる。なお、普通図柄変動表示ゲームの実行中に普図始動ゲート１７を遊技球が通過すると、これを所定数（例えば、４個）まで記憶し、その記憶値を普通図柄記憶表示器１９にて可視表示させる。
【００２４】
また、上記遊技部領域１５の下方部には、大入賞口を開閉扉２０ａにより遮蔽して遊技球を受け入れない閉状態と開閉扉２０ａを前側に傾動させて大入賞口へ遊技球を入賞させる開状態とに変換可能な特別変動入賞装置２０を設け、該特別変動入賞装置２０よりも適宜上方に比較的小型の普通電動役物たる普通変動入賞装置２１を設けてある。
【００２５】
上記補助変動入賞装置２１は、例えば、左右一対の可動部材２１ａ，２１ａが起立した閉状態においては、補助変動入賞装置２１の直上方部に設けた特図始動入賞誘導ゲート２２から流下してきた遊技球でなければ特図始動口２１ｂへの球入賞が不可能で、可動部材２１ａ，２１ａが左右方向へ互いに離隔するように傾動すると、特図始動入賞誘導ゲート２２の左右両側方からも容易に特図始動口２１ｂへ入賞可能な状態となる構造であり、補助変動入賞装置２１の特図始動口２１ｂへ遊技球が入賞することに基づいて、特別図柄表示器２３を用いた特別図柄変動表示ゲーム（例えば、複数種類の識別情報を変動表示させた後に停止表示させ、停止した識別情報が予め定めた大当り態様に一致するか否かを判定するゲーム）が行われる。なお、特別図柄変動表示ゲームの実行中に特図始動口２１ａへ遊技球が入賞すると、これを所定数（例えば、４個）まで記憶し、その記憶値を特別図柄記憶表示器２４に可視表示させる。
【００２６】
上記特別図柄表示器２３を用いた特別図柄変動表示ゲームで大当たりが出ると、特別遊技（例えば、特別変動入賞装置２０の大入賞口への入賞球が１０個になる第１条件か開閉扉２０ａの開時間が３０秒になる第２条件か、何れか最先の条件が達成されるまでを１ラウンドとし、この特別変動入賞装置２０の大入賞口開放を１６ラウンドまで行うことで、遊技者が多くの賞球を獲得できる遊技）が行われる。
【００２７】
また、遊技領域１５には、入賞口２５…や風車２６といった各種遊技具に加え、多数の障害釘２７が植設されている。なお、遊技領域１５内へ弾発されて何れの入賞領域にも入賞しなかった遊技球はアウト口２８より回収される。さらに、遊技領域１５には、各種ランプやＬＥＤを発光源とする装飾表示器２９も設けてある。
【００２８】
上述した遊技機１の裏側には、図３に示すように、遊技機としての諸機能を実現するための機構（例えば、島設備より供給される遊技球を受けて貯留して球貸要求に応じた球排出や賞球排出を行う機構、遊技盤に設けられた各種入賞口へ入賞して回収された遊技球や何れの入賞口にも入賞せずにアウト口から回収された遊技球を機外の回収球搬送路へ導く遊技球回収機構など）のほか、遊技盤１３に設けた遊技装置の動作制御などを行うことで遊技の進行を統括的に制御する遊技制御装置３０、球排出装置３１や打球発射装置の制御を行う排出・発射制御装置３２、各部へ所定の電源を供給する電源供給装置３３、演出媒体（演出表示装置１６，スピーカ１２，装飾表示器２１等）の制御を行う演出制御装置３４、各装置間や各種電気部品（遊技盤１３に設けた特別変動入賞装置２０や普通変動入賞装置２１の電気的駆動源など）の接続を中継する中継基板３５等を適所に設けてある。なお、遊技制御装置３０と中継基板３５は、遊技盤１３の裏面側へ取り付けられる制御装置保持部材３６へ着脱可能に取り付けるものとした。
【００２９】
ここで、制御装置保持部材３６への遊技制御装置３０および中継基板３５の取付構造を図４〜図９に基づいて詳述する。なお、本実施形態に示す遊技機１の制御装置保持部材３６は、遊技制御装置３０と中継基板３５を保持するものとしたが、これに限らず、排出・発射制御装置３２と中継基板３５、或いは電源供給装置３３と中継基板３５，或いは演出制御装置３４と中継基板３５を保持するものでも構わない。
【００３０】
制御装置保持部材３６には、ほぼ平坦で横長形状の取付面３６１の一側方（例えば、図４及び図５の紙面に向って左側）を遊技制御装置取付部３６１ａとし、他側方（例えば、図４及び図５の紙面に向って右側）を中継基板取付部３６１ｂとし、遊技制御装置取付部３６１ａには遊技制御装置３０を取り付け、中継基板取付部３６１ｂには中継基板３５６を内部に保持する中継基板保持体３７を取り付けてある。
【００３１】
また、遊技制御装置取付部３６１ａと中継基板取付部３６１ｂとの間には、蓋部材３６２が挿通可能な蓋部材挿通孔３６１ｃを開設し、この蓋部材挿通孔３６１ｃに臨む側が自由端で他側端が固定端となる揺動腕部３６３が形成されるよう、蓋部材挿通孔３６１ｃの開口縁から横方向に連なる上下２箇所の適宜な切り込みを設け、揺動腕部３６３の自由端に蓋部材３６２を設けることで、揺動腕部３６３の自由端側が前後動することに伴って、蓋部材３６２が取付面３６１よりも後側（図４及び図５においては紙面の手前側）に突出した状態と、蓋部材挿通孔３６１ｃを抜けて取付面３６１よりも前側（図４及び図５においては紙面の奥側）に引っ込んだ状態とに変換する。
【００３２】
上記蓋部材３６２は、上記揺動腕部３６３の自由端に接続されて後方に延出する板状の遮蔽部３６２ａと、該遮蔽部３６２ａの後方端縁から側方（遊技制御装置取付部３６１ａ側）に延出する板状の押圧受部３６２ｂと、これら遮蔽部３６２ａと押圧受部３６２ｂとが交接する係止部３６２ｃ（横断面が直角になる上下方向に長い部位）と、例えば、押圧受部３６２ｂの上端縁部から後方へ延出する板状の操作部３６２ｄとを備える。なお、操作部３６２ｄは押圧受部３６２ｂの下端縁部から後方へ延出するように設けても良いし、上下両側に夫々設けても良い。
【００３３】
そして、制御装置保持部材３６は適宜な復元力を有する樹脂素材等を用いて成型し、常態においては、揺動腕部３６３が取付面３６１とほぼ面一で、蓋部材３６２の遮蔽部３６２ａが取付面３６１よりも後方に突出した状態を保持し、蓋部材３６２の押圧受部３６２ｂが前側への押圧力を受けて係止部３６２ｃが取付面３６１とほぼ面一になるまで揺動腕部３６３が撓んでも、揺動腕部３６３の弾性限界を越えて折れるようなことはなく、押圧受部３６２ｂへの受圧が解消されると、揺動腕部３６３は速やかに常態へ復帰する。
【００３４】
上記のように構成した制御装置保持部材３６の中継基板取付部３６１ｂに取り付けられる中継基板保持体３７は、端子パターンにより形成した遊技制御基板接続部３５１を基板の側方縁部に備えると共に複数の中継コネクタ３５２…を基板の背面側に備える中継基板３５を保持するものである。なお、中継基板３５の中継コネクタ３５２は、少なくとも、遊技盤１３に設けられる各種電気部品（特別変動入賞装置２０や普通変動入賞装置２１に設けられる電気的駆動源を含む）を接続する電気部品接続部としてのコネクタ群を備えていれば良いが、そのほかに、遊技制御装置３０以外の制御装置（排出発射制御装置３２，電源供給装置３３，演出制御装置３４等）を接続するコネクタ群も中継コネクタ３５２に含ませるものとした。
【００３５】
中継基板保持体３７の概略構成は、図６に示すように、制御装置保持部材３６に取り付けられる平坦な板状の前壁部３７１の上縁・下縁および一側縁（遊技制御基板接続部３５１に隣接していない側）より各々後方へ延出する上壁部３７２，下壁部３７３，側壁部３７４を備え、後面および遊技制御基板接続部３５１に隣接する側が開放する中継基保持空部３７ａが形成されるのである。
【００３６】
また、中継基板保持体３７における遊技制御装置取付部３６１ａ側には、上壁部３７２の後方端縁から下壁部３７３の後方端縁を接続する所要幅の板状に形成した後方保護壁３７５を設けた。なお、この後方保護壁３７５と前壁部３７１との間には、遊技制御装置３０に内包された遊技制御基板３０１の中継基板接続コネクタ３０２を中継基板３５の遊技制御基板接続部３５１に接続するのに必要十分な接続空部が形成されるようにした。
【００３７】
斯く構成した中継基板保持体３７の中継基板保持空部３７ａに中継基板３５を保持させる場合、中継基板３５の遊技制御基板接続部３５１が後方保護壁３７５側の接続空部内に収まるように押し入れると、中継基板３５の前面（中継コネクタ３５２…が設けられていない側の面）が基板面当着部３７６…の後端部に当着し、中継基板３５が制御装置保持部材３６の保持面３６１とほぼ平行な状態に保持される。また、中継基板３５における遊技制御基板接続部３５１の形成側の上辺および下辺には各々位置決め凹部３５３，３５３を形成し、この位置決め凹部３５３，３５３が位置規制部３７７，３７７に当たって位置規制されることで、接続空部となっている側方から中継基板３５が抜け出すことを防止する。
【００３８】
更に、上壁部３７２および下壁部３７３および側壁部３７４には、各々係止片３７８を設け、各係止片３７８の係止爪３７８ａが中継基板３５の後面（中継コネクタ３５２…が設けられている側の面）に係止されることにより、中継基板３５が基板面当着部３７６に当着した位置で適正に保持されるものとした。なお、中継基板３５を中継基板保持体３７にネジ止めして強固に取り付けるようにしても良い。
【００３９】
上述した中継基板保持体３７は、例えば、ビス止め等の固着手段により、制御装置保持部材３６の中継基板取付部３６１ｂに取り付けられる（図７を参照）。このとき、中継基板３５の遊技制御基板接続部３５１の遊技制御装置取付部３６１ａ側には蓋部材３６２の遮蔽部３６２ａが位置し、遊技制御基板３０１の中継基板接続コネクタ３０２を中継基板３５の遊技制御基板接続部３５１に接続するための接続路は遮蔽された状態（閉状態）である。一方、蓋部材３６２の押圧受部３６２ｂが前側（蓋部材挿通孔３６１ｃ内）へ押圧されて、中継基板３５の遊技制御基板接続部３５１の遊技制御装置取付部３６１ａ側から遮蔽部３６２ａが退くと、遊技制御基板３０１の中継基板接続コネクタ３０２を中継基板３５の遊技制御基板接続部３５１に接続するための接続路が開放された状態（遊技制御基板３０１の中継基板接続コネクタ３０２が中継基板３５の遊技制御基板接続部３５１に接続することを許容する開状態）となる。すなわち、蓋部材３６２は、常態においては遮蔽状態を維持し、押圧受部３６２ｂを介して前面側へ押圧されることで開状態に変換するのである。
【００４０】
このように、蓋部材３６２が閉状態においては、中継基板取付部３６１ｂに取り付けられた中継基板３５の遊技制御基板接続部３５１の遊技制御装置取付部３６１ｂ側に遮蔽部３６２ａが位置することにより、中継基板３５の遊技制御基板接続部３５１を効果的に保護できる。
【００４１】
更に、本構成例として示した中継基板保持体３７には、中継基板３５の遊技制御基板接続部３５１の背面側に配され、少なくとも遊技制御基板接続部３５１の背面側を覆い得る所要形状の接続保護部として機能する後方保護壁３７５を設けたので、蓋部材３６２の遮蔽部３６２ａと後方保護壁３７５による中継基板３５の遊技制御基板接続部３５１に対する保護機能を一層高めることができる。
【００４２】
しかも、遊技制御基板３０１の中継基板接続コネクタ３０２を中継基板３５の遊技制御基板接続部３５１に接続する際には、接続空部を隔てて位置する後方保護壁３７５が、中継基板接続コネクタ３０２を遊技制御基板接続部３５１へ導くスライドガイドとして機能するので、遊技制御基板３０１と中継基板３５との接続が円滑に行われる。
【００４３】
加えて、本構成例の中継基板保持体３７に保持された中継基板３５の中継コネクタ３５２…は背面側に位置するため、中継コネクタ３５２…に対して遊技機１の前後方向に抜き差しが行われ、接続コネクタを引き抜く際に中継基板３５が後方へ引っ張られることを３点の係止爪３７８ａで支えるだけでは中継基板３５が撓み易く、その撓みによる後方への力は遊技制御基板接続部３５１にも作用して、遊技制御基板３０１の中継基板接続コネクタ３０２に接続されたまま後方へ引っ張られることとなるが、中継基板保持体３７の後方保護壁３７５が遊技制御基板接続部３５１に接続された中継基板接続コネクタ３０２の背面側に位置するので、後方保護壁３７５により中継基板３５の撓みが抑制され、遊技制御基板３０１の中継基板接続コネクタ３０２と中継基板３５の遊技制御基板接続部３５１とに接触不良が生ずることを効果的に防止できる。
【００４４】
上記のように中継基板保持体３７に保持された中継基板３５に直接接続される遊技制御装置３０は、少なくとも遊技盤１３に設けられる特別変動入賞装置２０や普通変動入賞装置２１等を制御する遊技制御基板３０１を基板収納ケース３０３に収納し、基板収納ケース３０３の一側から中継基板接続コネクタ３０２を露出させたものである。なお、基板収納ケース３０３は、不正目的で遊技制御基板３０１が容易に取り出されることのないように、開封履歴が残るような閉止手段を用いても良い。
【００４５】
また、遊技制御装置３０の基板収納ケース３０３の前面側（制御装置保持部材３６の取付面３６１に装着される側）である装着部３０３ａの縁部適所、例えば上縁と下縁に各々２箇所づつ突片状の係合部３０４…を設け、これら係合部３０４に対応するように、制御装置保持部材３６の遊技制御装置取付部３６１ａに係合受部３６４…を各々設け、遊技制御装置３０の係合部３０４を制御装置保持部材３６の係合受部３６４に係合させることで、遊技制御装置３０の取り付け時における位置決めを容易にし、取り付け作業を容易に行えるようにするものである。
【００４６】
なお、基板収納ケース３０３の構造としては、遊技制御基板３０１を収納した後は再分離が困難となるような固着手段を用いる。例えば、遊技制御基板３０１をベース部材３０３１に固定して収納部材３０３２で閉止することで基板収納ケース３０３が構成された際に、収納部材３０３２の適所（例えば、中継基板接続コネクタ３０２と反対側になる側壁部）に設けた４つのカシメ部３０３２ａ…と、これらと対になるようベース部材３０３１に設けた４つのカシメ受部（図示省略）とが位置整合し、各カシメ部３０３２ａに設けたビス孔と各カシメ受部に設けたビス孔がビスを挿通可能な状態に揃うものとする。そして、単方向ネジのビスで何れか一つのカシメ部３０３２ａとカシメ受部を固定し、更に、カシメ部３０３２ａの開口を塞ぐように樹脂製のビス押さえ部材を嵌め込み、例えば超音波溶着によってビス押さえ部材を開口部の内面へ強固に取り付けると、ベース部材３０３１と収納部材３０３２の再分離が困難となる。
【００４７】
このように、ビス押さえ部材によってビスが操作されることを困難にすることと併せて、ビス自体もネジ回しで普通に外せないものであることから、カシメ部３０３２ａとカシメ受部を物理的に損壊させてしまわなければ、ベース部材３０３１と収納部材３０３２を分離することができないのである。なお、カシメ部３０３２ａとカシメ受部は４対設けてあるので、最大で４回の固着が可能であり、また、破損しているカシメ部３０３２ａとカシメ受部の数から、基板収納ケース３０３を開いた回数を視覚的に確認できる。
【００４８】
上記係合受部３６４は、遊技制御装置３０の係合部３０４を受け入れる受入口３６４ａと、該受入口３６４ａに係合部３０４を受け入れた状態で中継基板取付部３６１ｂ側へのスライドをガイドするスライドガイド部３６４ｂと、スライドガイド部３６４ｂに沿ってスライドさせた状態において係合部３０４が後方へ抜けないようにして遊技制御装置３０と遊技制御装置取付部３０１ｂとが離間するのを防止する離間防止部３６４ｃと、遊技制御装置３０の係合部３０４をスライドガイド部３６４ｂに沿ってスライドさせて遊技制御基板３０１の中継基板接続コネクタ３０２が中継基板３５の遊技制御基板接続部３５１に接続された位置で係合部３０４が当接し、中継基板取付部３６１ｂ側へ遊技制御装置３０が更にスライドすることを規制するスライド規制部３６４ｄと、を備える。
【００４９】
従って、遊技制御装置３０の各係合部３０４が制御装置保持部材３６の各受入口３６４ａに受け入れられるように、遊技制御装置３０の装着面３０３ａを制御装置保持部材３６の取付面３６１に当着した状態で、遊技制御装置３０を係合方向（中継基板３５が取り付けられている方向）へスライドさせれば、遊技制御装置３０を制御装置保持部材３６の適正な位置に取り付けることができるのである。
【００５０】
しかも、本構成例においては、係合受部３６４のスライド規制部３６４ｄにて遊技制御装置３０の係合部３０４がスライド規制される際には、遊技制御装置３０が遊技制御装置取付部３６１ａに係止されて、遊技制御装置３０が反係合方向へスライドして外れることの無いようにした。以下、図９に基づいて、具体的な接続工程を説明する。
【００５１】
先ず、遊技制御装置３０の各係合部３０４が制御装置保持部材３６の各受入口３６４ａに受け入れられるように、遊技制御装置３０の装着面３０３ａを制御装置保持部材３６の取付面３６１に当着する際に、基板収納ケース３０３の挿着部３０３ａの中継基板３５側端部に形成した押圧部３０３ｂが蓋部材３６の押圧受部３６２ｂに当接する位置となる（図９（ａ）を参照）。
【００５２】
そのまま遊技制御装置３０の挿着部３０３ａが制御装置保持部材３６の取付面３６１に当着するまで押圧部３０３ｂにより押圧受部３６２ｂを押圧して行くと、揺動腕部３６３が撓んで蓋部材挿通孔３６１ｃ内へ蓋部材３６２が押し込まれて行き、蓋部材３６２が閉状態から開状態に変換される（図９（ｂ）を参照）。なお、押圧部３０３ｂよりも反係合方向には、係止部３６２ｃに係止され得る被係止部としての係止凹部３０３ｃを設けてある。
【００５３】
そして、蓋部材３６２が開状態に変換されることで接続路への進入が可能になった後、遊技制御装置３０を係合方向（図９（ｂ）の矢印方向）へスライドさせて、遊技制御基板３０１の中継基板接続コネクタ３０２が中継基板３５の遊技制御装置接続部３５１に接続させた状態においては、蓋部材３６２の係止部３６２ｃが係止凹部３０３ｃ内に入り込んだ状態となり、遊技制御装置３０を反係合方向へスライドさせることはできないように係止される（図９（ｃ）を参照）。なお、遊技制御装置３０を取り外したい場合には、蓋部材３６２の操作部３６２ｄを指先で蓋部材挿通孔３６１ｃ内へ押し込むことで、係止部３６２ｃを係止凹部３０３ｃから外し、遊技制御装置３０を反係合方向へスライドさせれば良い。
【００５４】
このように、遊技制御装置３０を制御装置保持部材３６の遊技制御装置取付部３６１ａへ取り付ける一連の作業の中で、常態においては閉状態を維持する蓋部材３６の押圧受部３６２ｂを遊技制御装置３０の押圧部３０３ｂにより押圧して開状態に変換する動作と、遊技制御装置３０の各係合部３０４を制御装置保持部材３６の各係合受部３６４に係合させる動作と、遊技制御基板３０１の中継基板接続コネクタ３０２が中継基板３５の遊技制御基板接続部３５１と接続された状態で蓋部材３６２の係止部３６２ｃを遊技制御装置３０の係止凹部３０３ｃに係止させる動作、が全て行われるので、蓋部材３６２を開状態に変換する作業、遊技制御装置３０を制御装置保持部材３６に係合させる作業、遊技制御装置３０の中継基板接続コネクタ３０２を中継基板３５の遊技制御装置接続部３５１に接続する作業、遊技制御装置３０と制御装置保持部材３６を係止する作業を別途行う必要が無く、効率的な取り付け作業を期せる。
【００５５】
ここで、中継基板３５と遊技制御装置３０とを直接接続した遊技機制御部における、各種電気部品や他の制御装置との接続例を図１０に基づいて説明する。なお、遊技機制御部は、主として遊技盤１３に設けられた各種遊技装置（特別変動入賞装置２０や普通変動入賞装置２１等）の制御を行う遊技制御装置３０，球排出装置３１や発射装置３８に対する動作制御を発射停止スイッチ７ａやタッチセンサ７ｂからの入力および遊技制御装置３０からの指令に応じて行う排出・発射制御装置３２，遊技制御装置３０からの指令に応じて各種演出媒体（装飾表示器１１，２９、スピーカ１２、演出表示装置１６等）に対する制御を行う演出制御装置３４、各装置へ電源供給すると共に停電時に給電可能なバックアップ電源３３ａを備える電源供給装置３３からなる。
【００５６】
上記遊技制御装置３０は、遊技制御基板３０１に、ＣＰＵ（Central Processing Unit）、ＲＯＭ（Read Only Memory）、ＲＡＭ（Random Access Memory）を有する遊技用マイクロコンピュータ２１ａ、入出力インターフェース３０１ｂ、動作用クロック信号を生成して遊技用マイクロコンピュータ３０１ａに供給する発振器３０１ｃ、などを備えている。また、この遊技制御装置３０には、バックアップ電源３３ａを備える電源供給装置３３から停電時等にも電源供給され、ＲＡＭの記憶内容を保持できるようになっている。
【００５７】
上記遊技制御装置３０には、普通変動入賞装置２１の特図始動口２１ｂに入賞した遊技球を検出する特図始動センサ２１ｃからの検出信号，普図始動ゲート１７を通過した遊技球を検出する普図始動センサ１７ａからの検出信号，各入賞口２５…に各々対応させて設けた第１〜第Ｎ入賞口センサ２５ａ〜２５ｎからの検出信号，特別変動入賞装置２０の大入賞口へ入賞した遊技球を１個宛て検出するカウントセンサ２０ｂからの検出信号が、中継基板３５を介して供給される。なお、特別図柄変動表示ゲームの開始条件である特図始動口２１ｂへの入賞球を検出する特図始動センサ２１ｃは、中継基板３５経由で接続せずに、遊技制御装置３０の遊技制御基板３０１に直接接続するようにしても良い（図１０においては破線で示す）。
【００５８】
また、遊技制御装置３０からは、特別図柄表示器２３，特別図柄記憶表示器２４，特別変動入賞装置２０の開閉扉２０ａの駆動制御を行う大入賞口開閉ソレノイド２０ｃ，普通図柄表示器１８，普通図柄記憶表示器１９，普通変動入賞装置２１の可動部材２１ａ，２１ａの駆動制御を行う普電開閉ソレノイド２１ｄ等へ中継基板３５を介して駆動信号が送信されると共に、排出・発射制御装置３２および演出制御装置３４に対する動作指令も、中継基板３５を介して送信される。更に、遊技機１において遊技者に払い出した賞球数や遊技結果（普通図柄変動表示ゲームや特別図柄変動表示ゲームや特別遊技の発生）等の情報は、外部出力端子３９から遊技機外へ出力され、当該遊技店の管理コンピュータ等で収集・管理される。
【００５９】
以上、第１実施形態に係る遊技機として、遊技制御装置３０と中継基板３５との接続構造について説明したが、この構成例に限らず、例えば、遊技制御装置３０を固定して中継基板３５をスライドさせることで接続作業を行える構造としても良い。また、遊技制御基板３０１にプリント配線により接続端子を形成し、中継基板３５に接続コネクタを設けても良いし、雄コネクタと雌コネクタを遊技制御基板３０と中継基板３５に設けて接続するようにしても良い。
【００６０】
次に、第２実施形態に係る遊技機として、遊技制御装置３０の取付が適正に行われているか否かを簡便且つ効果的に発見できるような裏機構構造として、制御装置保持部材３６′を用いた例を図１１〜図１３に基づいて説明する。なお、遊技機の基本構造や裏面配置等は上述した第１実施形態と同様であるから、同一構成には同一符号を用いて以下の説明を行う。
【００６１】
先ず、遊技盤１３に設けられた複数の入賞口の少なくとも一つ、例えば、特図始動入賞誘導ゲート２２は、遊技球が入賞する入賞空部２２１内に入賞規制部材２２２の先端規制部２２２ａが突出して遊技球が特図始動口２１ｂに入賞して特図始動センサ２１ｂにより検出されることを阻む入賞阻止状態と、入賞空部２２１内から入賞規制部材２２２の先端規制部２２２ａが退いて遊技球が特図始動口２１ｂに入賞して特図始動センサ２１ｂにより検出されることを許容する入賞許容状態とに変換可能とする。
【００６２】
より具体的には、入賞許容状態においては、入賞規制部材２２２の先端規制部２２２ａの前端が、特図始動入賞誘導ゲート２２の取付ベース２２３の前面とほぼ面一となるように、コイルスプリング等の付勢手段２２４によって入賞規制部材２２２に設けた位置規制部２２２ｂが後部壁２２５の前面に当接する状態に付勢しておき（図１１を参照）、この付勢力に抗して位置規制部２２２ｂが後部壁２２５の前面から離隔すると、その離隔距離に応じて入賞規制部材２２２の先端規制部２２２ａが入賞空部２２１内に突出するのである（図１２を参照）。
【００６３】
すなわち、入賞規制部材２２２を入賞許容状態から入賞阻止状態に変換させるには、付勢手段２２４の付勢に抗して先端規制部２２２ａを入賞空部２２１内へ突出させれば良く、制御装置保持部材３６′の蓋部材３６２′の押圧受部３６２ｂが遊技制御装置３０の押圧部３０３ｂにより押圧された際の押圧力を入賞規制部材２２２に伝達できる構造とすることで、遊技制御装置３０を制御装置保持部材３６′に取り付ける作業を行うことと連動して、入賞規制部材２２２に状態変換を生ぜしめるのである。
【００６４】
斯くするために、入賞規制部材２２２は、遊技盤１３の裏面側における制御装置保持部材３６′の取付面３０１近傍まで延出させる後方延出部２２２ｃを形成し、この後方延出部２２２ｃの後方端縁部から側方（遊技制御基板取付部３０１ａと中継基板取付部３０１ｂとの境界側）へ延出する作動受部２２２ｄを設け、例えば、この作動受部２２２ｄが蓋部材３６２′の作動ピン３６２ｅの前側端部に形成した作動押圧部３６２ｆによって押圧されることで、先端規制部２２２ａが入賞空部２２１内に突出する入賞阻止状態へ変換させる。
【００６５】
上記のように入賞規制部材２２２の状態変換に作用する蓋部材３６２′は、遮蔽部３６２ａの上端縁に連なる押圧受部３６２ｂの前面側から作動ピン３６２ｅが延設され、制御装置保持部材３６′の取付面３０１に前側へ窪むように形成した押圧受部退避凹部３６１ｄの適所に開設した作動ピン挿通孔３６１ｅを通して作動押圧部３６２ｆが、入賞規制部材２２２の作動受部２２２ｄに臨む。
【００６６】
なお、作動押圧部３６２ｆが作動ピン挿通孔３６１ｅよりも大きくなるように形成することで、作動ピン３６２ｅの抜け止めを兼ねるものとした。また、押圧受部３６２ｂの前面と押圧受部退避凹部３６１ｄの背面とが離隔する方向に付勢するコイルスプリング等の付勢手段３６２ｇを設け、常態においては、作動押圧部３６２ｆが押圧受部退避凹部３６１ｄの前面側に当接し、蓋部材３６２′の遮蔽部３６２ａが接続路を遮蔽した開状態を維持する。
【００６７】
上記付勢手段３６２ｇの付勢力に抗する力が蓋部材３６２′の押圧受部３６２ｂに作用して、遮蔽部３６２ａが遮蔽部挿通孔３６１ｆから前側へ退避して行くと共に、作動ピン３６２ｅも作動ピン挿通孔３６１ｅから前側へ突出して行き、遊技制御装置３０の装着部３０３ａが制御装置保持部材３６′の取付面３１に当着し、押圧受部３６２ｂが押圧受部退避凹部３６１ｄ内に退避して、押圧受部３６２ｂの背面（押圧力を受ける面）が取付面３１とほぼ面一になるまで押圧された第１押圧状態においては、蓋部材３６２′が開状態に変換されると共に、作動押圧部３６２ｆが入賞規制部材２２２の作動受部２２２ｄに達し、付勢手段２２４の付勢力に抗して入賞規制部材２２２を前側へ押圧することで、先端規制部２２２ａが入賞空部２２１内に突出する入賞阻止状態となる（図１２を参照）。
【００６８】
そして、蓋部材３６２′が開状態に変換されることで接続路への進入が可能になった後、遊技制御装置３０を係合方向（図１２の矢印方向）へスライドさせて、遊技制御基板３０１の中継基板接続コネクタ３０２が中継基板３５の遊技制御装置接続部３５１に接続させた状態においては、蓋部材３６２′の係止部３６２ｃが付勢手段３６２ｇの付勢力により遊技制御装置３０の係止凹部３０３ｃ内に入り込んだ状態となり、遊技制御装置３０を反係合方向へスライドさせることはできないように係止される（図１３を参照）。
【００６９】
しかも、蓋部材３６２′の係止部３６２ｃが遊技制御装置３０の係止凹部３０３ｃに係止された際には、蓋部材３６２′の押圧受部３６２ｂに対する押圧量が軽減された第２押圧状態となり、それだけ作動ピン３６２ｅの突出量が減ぜられ、作動押圧部３６２ｆも後退することで、入賞規制部材２２２の作動受部２２２ｄへの押圧力が解消され、先端規制部２２２ａが入賞空部２２１内から退避した入賞許容状態となる。
【００７０】
したがって、遊技制御装置３０を制御装置保持部材３６′に取り付ける作業を行った後、入賞規制部材２２２を設けた特図始動入賞誘導ゲート２２に入れた遊技球がそのまま流下して普通変動入賞装置２１の特図始動センサ２１ｂにより検出されるか否かにより、遊技制御装置３０が制御装置保持部材３６′へ適正に係止されたか否かを判定できる。特に、遊技店における新台入れ替え時（遊技盤１３や遊技制御装置３０等を交換して新規な遊技機とする場合も含む）には、必ず「球通し」といって入賞口に球を入賞させて異常がないか確認するので、この球通しによって遊技制御装置３０が適正に取り付けられていない状態を簡便且つ効率的に発見できる。
【００７１】
なお、本実施形態においては、特図始動入賞誘導ゲート２２に入賞規制部材２２２を設けるものとしたが、これに限らず、普通変動入賞装置２１に入賞規制部材を設けても良いし、他の入賞口２５や普図始動ゲート１７等に設けるようにしても構わない。また、制御装置保持部材３６′に対する遊技制御装置３０の取付動作を入賞規制部材２２２の状態変換動作に作用させる機構も、上記の構造に限らず、公知既存の適宜なリンク機構を適用して構成して構わない。
【００７２】
上述した第１，第２実施形態の遊技機においては、制御装置保持部材３６，３６′に中継基板３５を先に取り付けた後に、遊技制御装置３０を取り付けるものであったが、これに限定されるものではない。以下に、遊技制御装置４０を先に制御装置保持部材４１に取り付けた後に、中継基板４２を取り付ける接続構造を採用した第３実施形態の遊技機について、図１４〜図１６に基づいて説明する。なお、第３実施形態に係る遊技機の基本構造や裏面配置等は上述した第１実施形態と同様である。
【００７３】
遊技制御装置４０は、遊技制御基板４０１に設けた中継基板接続用コネクタ４０２を一側方に露出させた状態で基板収納ケース４０３内に収納したもので、その基板収納ケース４０３には、４箇所の係合部４０４…を設けてある。そして、制御装置保持部材４１の取付面４１１における遊技制御装置取付部４１１ａには、各係合部４０４に対応する部位に係合受部４１２…を各々設けてある。
【００７４】
係合受部４１２は、遊技制御装置４０の係合部４０４を受け入れる受入口４１２ａと、該受入口４１２ａに係合部４０４を受け入れた状態で係合方向（中継基板取付部４１１ｂ側とは反対の方向）へのスライドをガイドするスライドガイド部４１２ｂと、スライドガイド部４１２ｂに沿ってスライドさせた状態において係合部４０４が後方へ抜けないようにして遊技制御装置４０と遊技制御装置取付部４０１ｂとが離間するのを防止する離間防止部４１２ｃと、遊技制御装置４０の係合部４０４をスライドガイド部４１２ｂに沿って所定量だけスライドさせると係合部４０４が当接し、中継基板取付部３６１ｂ側へ遊技制御装置４０が更にスライドすることを規制するスライド規制部４１２ｄと、を備える。
【００７５】
遊技制御装置４０の各係合部４０４が制御装置保持部材３６の各受入口４１２ａに受け入れられるように、遊技制御装置４０の装着面４０３ａを制御装置保持部材３６の取付面３６１に当着した状態で、遊技制御装置４０を係合方向へスライドさせた後に、中継基板４２を取り付ける。
【００７６】
制御装置保持部材４１１の中継基板取付部４１１ｂには、中継基板４２の遊技制御基板接続部４２１が遊技制御基板４０１の中継基板接続コネクタ４０２に接続された状態で保持可能な中継基板保持体４３を設ける。この中継基板保持体４３は、中継基板取付部４１１ｂにビス止め等の手段で固定される固着部４３１の上部に上部基板取付部４３２を、下部に下部基板取付部４３３を設けてある。
【００７７】
そして、中継基板保持体４３の外側方（遊技制御装置４０に近接していない側）から、中継基板４２の上縁部を上部基板取付部４３２に形成した上部ガイド溝４３２ａに、中継基板４２の下縁部を下部基板取付部４３３に形成した下部ガイド溝４３３ａに各々嵌め込んで、上下部ガイド溝４３２ａ，４３３ａに沿ってスライドさせると、中継基板４２の遊技制御基板接続部４２１を遊技制御装置４０の中継基板接続コネクタ４０２に接続させることができる。なお、上部基板取付部４３２と下部基板取付部４３３との間には遮蔽物はないので、中継基板４２の背面側に設けた中継コネクタ４２２に対するコネクタの着脱は自在に行える。
【００７８】
また、遊技制御装置３０の中継基板接続コネクタ４０２に中継基板４２の遊技制御基板接続部４２１を接続させたとき、中継基板４２の外側方（遊技制御基板接続部４２１のない側）に設けた止着部４２３が中継基板保持体４３の上下部基板取付部４３２，４３３の外側端に当接した状態となり、中継基板４２の上部止着ネジ４２４ａを上部基板取付部４３２の上部止着孔４３２ｂにネジ止めし、中継基板４２の下部止着ネジ４２４ｂを下部基板取付部４３３の下部止着孔４３３ｂにネジ止めすれば、中継基板保持体４３に中継基板４２を止着できる。
【００７９】
このように、制御装置保持部材４１に遊技制御装置４０を係合させて取り付けた後、遊技制御装置４０の中継基板接続コネクタ４０２に遊技制御基板接続部４２１を接続させた中継基板４２を中継基板保持体４３へ止着すると、中継基板４２が固定されることで、遊技制御装置４０も反係合方向へ移動できなくなり、遊技制御装置４０の係合部４０１を遊技制御装置取付部４１１ａの係合受部４１２から外せなくなるので、中継基板４２を中継基板保持体４３に止着するだけで、遊技制御装置４０も制御装置保持体４１に固定されることとなり、遊技制御装置４０と中継基板４２を制御装置保持部材４１に取り付ける際の作業性を高めることができる。
【００８０】
なお、中継基板４２を中継基板保持体４３に固着する手段は、着脱自在な上下部止着ネジ４２４ａ，４２４ｂに限定されるものではなく、例えば、第１実施形態にて説明した遊技制御装置３０における基板収納ケース３０３の固着手段として採用したカシメ部とカシメ受部の構造を、中継基板４２側と中継基板保持体４３側に各々設け、単方向ネジにてカシメ部とカシメ受部とを止着することで、中継基板３０もしくは遊技制御装置４０を取り外した場合には、その痕跡が残るような固着手段を用いても良い。
【００８１】
以上本発明を実施形態に基づき具体的に説明したが、本明細書で開示された実施の形態は全て例示であって、開示された技術に限定されるものではないと考えるべきである。すなわち、本発明の技術的な範囲は、上記の実施形態における説明に基づいて制限的に解釈されるものではなく、あくまでも特許請求の範囲の記載に従って解釈すべきであり、特許請求の範囲の記載技術と均等な技術および特許請求の範囲内での全ての変更が含まれる。
【図面の簡単な説明】
【００８２】
【図１】本発明に係る遊技機の前面側斜視図である。
【図２】遊技盤の正面図である。
【図３】遊技機の裏面図である。
【図４】遊技制御装置および中継基板が取り付けられた制御装置保持部材の外観斜視図である。
【図５】制御装置取付部材の外観斜視図である。
【図６】中継基板と中継基板保持体の外観斜視図である。
【図７】中継基板が取り付けられた制御装置取付部材の外観斜視図である。
【図８】遊技制御装置の外観斜視図である。
【図９】遊技制御装置を制御装置保持部材へ取り付ける工程説明図である。
【図１０】遊技機制御部の入出力関連を示すブロック図である。
【図１１】第２実施形態に係る遊技機の遊技制御装置を制御装置保持部材へ取り付ける第１工程説明図である。
【図１２】第２実施形態に係る遊技機の遊技制御装置を制御装置保持部材へ取り付ける第２工程説明図である。
【図１３】第２実施形態に係る遊技機の遊技制御装置を制御装置保持部材へ取り付ける第３工程説明図である。
【図１４】第３実施形態に係る遊技機における制御装置保持部材へ遊技制御装置を取り付ける工程を示す斜視図である。
【図１５】第３実施形態に係る遊技機における遊技制御装置を取り付けた制御装置保持部材に中継基板を取り付ける工程を示す斜視図である。
【図１６】第３実施形態に係る遊技機における遊技制御装置と中継基板が取り付けられた制御装置保持部材の外観斜視図である。
【符号の説明】
【００８３】
１    遊技機
１３    遊技盤
２０    特別変動入賞装置
２０ｃ  大入賞口開閉ソレノイド
２１    普通変動入賞装置
２１ｄ  普電開閉ソレノイド
３０    遊技制御装置
３０１  遊技制御基板
３０２  中継基板接続コネクタ
３０３  基板収納ケース
３５    中継基板
３５１  遊技制御基板接続部
３５２  中継コネクタ
３６    制御装置保持部材
３６１ａ  遊技制御装置取付部
３６１ｂ  中継基板取付部
３６２    蓋部材
３６２ａ  遮蔽部
３６２ｂ  押圧受部
３６２ｃ  係止部
３７    中継基板保持体
【図１】
2006175096.tif 000003
【図２】
2006175096.tif 000004
【図３】
2006175096.tif 000005
【図４】
2006175096.tif 000006
【図５】
2006175096.tif 000007
【図６】
2006175096.tif 000008
【図７】
2006175096.tif 000009
【図８】
2006175096.tif 000010
【図９】
2006175096.tif 000011
【図１０】
2006175096.tif 000012
【図１１】
2006175096.tif 000013
【図１２】
2006175096.tif 000014
【図１３】
2006175096.tif 000015
【図１４】
2006175096.tif 000016
【図１５】
2006175096.tif 000017
【図１６】
2006175096.tif 000018